(57)【要約】【課題】情報記入領域に記入された情報を隠蔽可能な構成において、全体の厚さを均一にしながらも、多くの情報を伝達する。【解決手段】折り部５０を介して折り畳み可能に連接したはがき本体部１０と隠蔽部２０とに、保護シート部３０と剥離シート部４０とがそれぞれ貼着された構成において、はがき本体部１０に申込情報記入欄１１が設けられ、はがき本体部１０に連接した隠蔽部２０に返信先情報２１が表示され、はがき本体部１０から保護シート部３０が剥離されるとともに隠蔽部２０から剥離シート部４０が剥離され、はがき本体部１０と隠蔽部２０とが折り畳まれることによって、申込情報記入欄１１に記入された申込情報が隠蔽された状態で送付先に送付される。【選択図】図１
2015116764.tif 000002
【特許請求の範囲】
【請求項１】
一方の面に情報記入領域が設けられた第１のシート部と、
折り部を介して前記第１のシート部に折り畳み可能に連接し、前記一方の面が内側となるように前記折り部を中心として折り畳まれた場合に前記情報記入領域に対向する面に、貼着後の剥離及び剥離後の再貼着が可能な第１の貼着層が積層された第２のシート部と、
貼着後の剥離が可能な第２の貼着層によって、前記第１のシート部の前記情報記入領域が設けられた面に剥離可能に貼着された第３のシート部と、
前記第１の貼着層によって前記第２のシート部に剥離可能に貼着された第４のシート部とを有し、
前記第２の貼着層が、前記情報記入領域への情報の記入を可能とする構成を具備し、
前記第１のシート部の前記第３のシート部との貼着面とは反対側の面、または前記第２のシート部の前記第４のシート部との貼着面とは反対側の面に宛先情報が表示されている隠蔽シート。
【請求項２】
請求項１に記載の隠蔽シートにおいて、
前記第１のシート部は、前記折り部とは反対側の辺に沿って形成された切り離し線によって当該第１のシート部から切り離し可能な切り離し部を有し、
前記第２のシート部は、前記折り部を中心として折り畳まれた場合に前記切り離し部に対向する領域に、貼着後の剥離が困難な第３の貼着層が積層されている隠蔽シート。
【発明の詳細な説明】
【技術分野】
【０００１】
本発明は、情報記入領域に記入された情報を隠蔽可能な隠蔽シートに関する。
【背景技術】
【０００２】
従来より、情報を記入するための情報記入領域が設けられたはがきにおいて、情報記入領域に情報を記入した後に、この情報記入領域上に隠蔽片を剥離可能に貼着し、それにより、情報記入領域に記入された情報を隠蔽可能とするものが考えられている。このようなものとして、例えば、はがき本体と隠蔽片とが折り畳み可能に連接し、隠蔽片上に剥離紙が剥離可能に貼着されたはがきが用いられている。このようなはがきは、はがき本体に設けられた情報記入領域に情報が記入された後、剥離紙が剥離されてはがき本体と隠蔽片とが折り畳まれ、情報記入領域上に隠蔽片が貼着されることにより、情報記入領域に記入された情報が隠蔽されることになる。
【０００３】
近年、このようなはがきにおいては、宛先情報やその他の情報がプリンタによって印刷される場合が多い。ところが、上述したようなはがきにおいては、はがき本体と隠蔽片とで剥離紙による厚さの差による段差が生じているため、この段差によって印字の際にプリンタ内にて障害が発生してしまう虞れがある。
【０００４】
そこで、剥離紙がはがき本体上まで延設した構成とすることによって全体の厚さを均一とし、それにより、宛先情報やその他の情報をプリンタによって印字する場合でも、プリンタ内にて障害が発生することを回避するはがきが考えられ、例えば、特許文献１，２に開示されている。
【０００５】
特許文献１，２に開示されたはがきは、はがき本体と隠蔽片とが折り畳み可能に連接した第１のシートと、第１のシートと同一形状を有する第２のシートとが互いに貼着され、第２のシートが、はがき本体に対向する領域と隠蔽片に対向する領域とに切り離し可能に構成されている。第１のシートの表出面には、宛先情報が表示されており、第２のシートにおいては、はがき本体に対向する領域の表出面に情報記入領域が設けられ、隠蔽片に対向する領域が剥離紙を構成している。
【０００６】
上記のように構成されたはがきは、情報記入領域に情報が記入された後、第２のシートの剥離紙を構成する部分が切り離されるとともに第１のシートから剥離され、第１のシートが折り畳まれることにより、情報記入領域に記入された情報が隠蔽片によって隠蔽されることになる。
【先行技術文献】
【特許文献】
【０００７】
【特許文献１】特開２００６−３４７１０８号公報
【特許文献２】実用新案登録第３１１２８４２号公報
【発明の概要】
【発明が解決しようとする課題】
【０００８】
ところで、近年の情報化社会の進展に伴い、１つの情報伝達媒体を用いてできるだけ多くの情報を伝達することが求められている。そのため、上述したようなはがきにおいても、多くの情報を伝達できる構成とすることが好ましい。特に上記はがきにおいては、隠蔽片側のみならず、はがき本体側においても２枚のシートが貼着された構成であるため、はがき本体側が１枚のシートから構成されたものに対して多くの情報を伝達できるはずである。
【０００９】
そこで、はがき本体側において２枚のシートの貼着面に情報を表示すれば、はがき本体側が１枚のシートから構成されたものに対して多くの情報を伝達することができるようになる。はがき本体側において２枚のシートの貼着面に情報が表示されている場合、はがき本体側にて２枚のシートを剥離することで、その情報を視認することができる。
【００１０】
ところが、上述したはがきにおいては、情報記入領域がはがき本体と隠蔽片を構成するシートとは異なるシートに設けられているため、上述したようにはがき本体側にて２枚のシートとを剥離してしまうと、情報記入領域がはがき本体及び隠蔽片から分離してしまい、情報記入領域に記入された情報がはがきの送付先に伝達されなくなってしまうことになる。そのため、はがき本体側において２枚のシートの貼着面に情報を表示することはできず、その結果、はがき本体側を１枚のシートから構成したものに対して伝達できる情報量が同じものとなってしまう。
【００１１】
このように、特許文献１，２に開示されたようなはがきにおいては、情報伝達という面において、２枚のシートを有効に活用できているとは言い難く、無駄な紙面が存在しているという問題点がある。
【００１２】
本発明は、上述したような従来の技術が有する問題点に鑑みてなされたものであって、情報記入領域に記入された情報を隠蔽可能な構成において、全体の厚さを均一にしながらも、多くの情報を伝達することができる隠蔽シートを提供することを目的とする。
【課題を解決するための手段】
【００１３】
上記目的を達成するために本発明は、
一方の面に情報記入領域が設けられた第１のシート部と、
折り部を介して前記第１のシート部に折り畳み可能に連接し、前記一方の面が内側となるように前記折り部を中心として折り畳まれた場合に前記情報記入領域に対向する面に、貼着後の剥離及び剥離後の再貼着が可能な第１の貼着層が積層された第２のシート部と、
貼着後の剥離が可能な第２の貼着層によって、前記第１のシート部の前記情報記入領域が設けられた面に剥離可能に貼着された第３のシート部と、
前記第１の貼着層によって前記第２のシート部に剥離可能に貼着された第４のシート部とを有し、
前記第２の貼着層が、前記情報記入領域への情報の記入を可能とする構成を具備し、
前記第１のシート部の前記第３のシート部との貼着面とは反対側の面、または前記第２のシート部の前記第４のシート部との貼着面とは反対側の面に宛先情報が表示されている。
【００１４】
上記のように構成された本発明においては、折り部を介して折り畳み可能に連接した第１のシート部と第２のシート部とに、第３のシート部と第４のシート部とがそれぞれ貼着されていることにより、全体の厚さが均一なものとなり、宛先情報やその他の情報をプリンタによって印字する場合でも、プリンタ内にて障害が発生することが回避される。第１のシート部に設けられた情報記入領域に情報を記入する際は、第１のシート部から第３のシート部を剥離する。第１のシート部と第３のシート部とは、貼着後の剥離が可能な第２の貼着層によって剥離可能に貼着されているため、これらを剥離することができる。第１のシート部から第３のシート部を剥離すると、第１のシート部の第３のシート部との貼着面に設けられた情報記入領域が表出する。ここで、第１のシート部と第３のシート部とを貼着していた第２の貼着層は、情報記入領域への情報の記入を可能とする構成を具備しているため、表出した情報記入領域に情報を記入することができる。またこの際、第３のシート部の第１のシート部との貼着面も表出するため、この面に情報を表示しておけば、隠蔽シートの提供先に伝達できる情報量が増える。その後、情報記入領域に記入された情報を隠蔽シートの送付先に伝達するため、まず、第２のシート部から第４のシート部を剥離する。第２のシート部と第４のシート部とは、貼着後の剥離が可能な第１の貼着層によって剥離可能に貼着されているため、第２のシート部から第４のシート部を剥離することができる。第２のシート部から第４のシート部を剥離すると、第２のシート部に積層された第１の貼着層が表出するが、この第１の貼着層は、剥離後の再貼着が可能なものであるため、第１のシート部と第２のシート部とを、情報記入領域が設けられた面が内側となるように折り部を中心として折り畳み、これらを第１の貼着層によって剥離可能に貼着することができる。これにより、情報記入領域に記入された情報が第２のシート部によって隠蔽された状態となる。また、第２のシート部から第４のシート部を剥離すると、第４のシート部の第２のシート部との貼着面も表出するため、この面に情報を表示しておけば、隠蔽シートの提供先に伝達できる情報量が増える。そして、第１のシート部または第２のシート部に表示された宛先情報に従って隠蔽シートが送付先に送付されることになるが、情報記入領域は、第１のシート部に設けられているので、情報記入領域に記入された情報が隠蔽シートの送付先に伝達されなくなってしまうことがない。その後、隠蔽シートの送付先において、第１のシートと第２のシートとを剥離すると、情報記入領域に記入された情報が視認可能となり、隠蔽シートの送付先に伝達されることになる。第１のシートと第２のシートとは、貼着後の剥離が可能な第１の貼着層によって剥離可能に貼着されているため、第１のシート部と第２のシート部とを剥離することができる。
【００１５】
このように、折り部を介して折り畳み可能に連接した第１のシート部と第２のシート部とに、第３のシート部と第４のシート部とがそれぞれ貼着された構成において、第１のシート部に情報記入領域が設けられ、この第１のシート部またはこれに連接した第２のシート部に宛先情報が表示され、第１のシート部から第３のシート部が剥離されるとともに第２のシート部から第４のシート部が剥離され、第１のシート部と第２のシート部とが折り畳まれることによって、情報記入領域に記入された情報が隠蔽された状態で送付先に送付されるので、第１のシート部から剥離される第３のシート部の第１のシート部との貼着面や第２のシート部から剥離される第４のシート部の第２のシート部との貼着面にも情報を表示することができ、それにより、情報記入領域に記入された情報を隠蔽可能な構成において、全体の厚さを均一にしながらも、多くの情報を伝達することができる。
【００１６】
また、第１のシート部が、折り部とは反対側の辺に沿って形成された切り離し線によって第１のシート部から切り離し可能な切り離し部を有し、第２のシート部が、折り部を中心として折り畳まれた場合に切り離し部に対向する領域に、貼着後の剥離が困難な第３の貼着層が積層されていれば、互いに貼着された第１のシート部と第２のシートとを剥離する際、第１のシート部から切り離し部を切り離さなければならず、それにより、隠蔽シートが開封されて情報記入領域に記入された情報が視認された場合にその痕跡を残すことができる。
【発明の効果】
【００１７】
本発明は、折り部を介して折り畳み可能に連接した第１のシート部と第２のシート部とに、第３のシート部と第４のシート部とがそれぞれ貼着された構成において、第１のシート部に情報記入領域が設けられ、この第１のシート部またはこれに連接した第２のシート部に宛先情報が表示されており、第１のシート部から第３のシート部が剥離されるとともに第２のシート部から第４のシート部が剥離され、第１のシート部と第２のシート部とが折り畳まれることによって、情報記入領域に記入された情報が隠蔽された状態で送付先に送付されることとなるので、第１のシート部から剥離される第３のシート部の第１のシート部との貼着面や第２のシート部から剥離される第４のシート部の第２のシート部との貼着面にも情報を表示することができ、それにより、情報記入領域に記入された情報を隠蔽可能な構成において、全体の厚さを均一にしながらも、多くの情報を伝達することができる。
【００１８】
また、第１のシート部が、折り部とは反対側の辺に沿って形成された切り離し線によって第１のシート部から切り離し可能な切り離し部を有し、第２のシート部が、折り部を中心として折り畳まれた場合に切り離し部に対向する領域に、貼着後の剥離が困難な第３の貼着層が積層されているものにおいては、互いに貼着された第１のシート部と第２のシートとを剥離する際、第１のシート部から切り離し部を切り離さなければならず、それにより、隠蔽シートが開封されて情報記入領域に記入された情報が視認された場合にその痕跡を残すことができる。
【図面の簡単な説明】
【００１９】
【図１】本発明の隠蔽シートの第１の実施の形態を示す図であり、（ａ）は表面図、（ｂ）は（ａ）に示したＡ−Ａ’断面図、（ｃ）は裏面図、（ｄ）は保護シート部及び剥離シート部のはがき本体部及び隠蔽部との貼着面の構成を示す図、（ｅ）ははがき本体部及び隠蔽部の保護シート部及び剥離シート部との貼着面の構成を示す図である。
【図２】図１に示した隠蔽はがきの使用方法を説明するための図である。
【図３】図１に示した隠蔽はがきの使用方法を説明するための図である。
【図４】本発明の隠蔽シートの第２の実施の形態を示す図であり、（ａ）は表面図、（ｂ）は（ａ）に示したＡ−Ａ’断面図、（ｃ）は裏面図、（ｄ）は保護シート部及び剥離シート部のはがき本体部及び隠蔽部との貼着面の構成を示す図、（ｅ）ははがき本体部及び隠蔽部の保護シート部及び剥離シート部との貼着面の構成を示す図である。
【図５】本発明の隠蔽シートの第３の実施の形態を示す図であり、（ａ）は表面図、（ｂ）は（ａ）に示したＡ−Ａ’断面図である。
【図６】本発明の隠蔽シートの第４の実施の形態を示す図であり、（ａ）は表面図、（ｂ）は（ａ）に示したＡ−Ａ’断面図である。
【図７】本発明の隠蔽シートの第５の実施の形態を示す図であり、（ａ）は表面図、（ｂ）は（ａ）に示したＡ−Ａ’断面図、（ｃ）は裏面図、（ｄ）は保護シート部及び剥離シート部のはがき本体部及び隠蔽部との貼着面の構成を示す図、（ｅ）ははがき本体部及び隠蔽部の保護シート部及び剥離シート部との貼着面の構成を示す図である。
【図８】図７に示した隠蔽はがきを返信先での開封方法を説明するための図である。
【発明を実施するための形態】
【００２０】
以下に、本発明の実施の形態について図面を参照して説明する。
【００２１】
（第１の実施の形態）
図１は、本発明の隠蔽シートの第１の実施の形態を示す図であり、（ａ）は表面図、（ｂ）は（ａ）に示したＡ−Ａ’断面図、（ｃ）は裏面図、（ｄ）は保護シート部３０及び剥離シート部４０のはがき本体部１０及び隠蔽部２０との貼着面の構成を示す図、（ｅ）ははがき本体部１０及び隠蔽部２０の保護シート部３０及び剥離シート部４０との貼着面の構成を示す図である。
【００２２】
本形態は図１に示すように、第１のシート部であるはがき本体部１０と、第２のシート部である隠蔽部２０とが折り部５０を介して連接し、はがき本体部１０の一方の面に第３のシート部である保護シート部３０が貼着されるとともに、隠蔽部２０の一方の面に第４のシート部である剥離シート部４０が貼着されて構成された隠蔽はがき１である。
【００２３】
はがき本体部１０は、保護シート部３０との貼着面に、この隠蔽はがき１の提供先となる往信先から、隠蔽はがき１の送付先となる返信先に伝達する申込情報を記入するための情報記入領域となる申込情報記入欄１１が設けられている。
【００２４】
隠蔽部２０は、はがき本体部１０と同一の形状を有し、剥離シート部４０との貼着面とは反対側の面に、この隠蔽はがき１の返信先の住所や氏名あるいは名称等からなる宛先情報となる返信先情報２１が印刷によって表示されている。また、隠蔽部２０の剥離シート部４０との貼着面にはその全面に粘着層８０が積層されている。この粘着層８０は、貼着力が弱いことにより、貼着後の剥離が可能であるとともに、剥離後に再び貼着することが可能なものである。
【００２５】
保護シート部３０は、はがき本体部１０と同一の形状を有し、はがき本体部１０との貼着面に通知情報３２が印刷されているとともに、はがき本体部１０との貼着面とは反対側の面に、この隠蔽はがき１の往信先の住所や氏名あるいは名称等の往信先情報を印刷するための往信先情報表示領域３１が設けられている。
【００２６】
剥離シート部４０は、隠蔽部２０と同一の形状を有し、隠蔽部２０との貼着面に通知情報４２が印刷されているとともに、隠蔽部２０との貼着面とは反対側の面に通知情報４１が印刷されている。また、剥離シート４０の隠蔽部２０との貼着面には、その全面に剥離剤が塗布されることによって剥離層９０が積層されている。
【００２７】
はがき本体部１０と保護シート部３０とは、第２の貼着層となる感圧接着層７０によって剥離可能に貼着されている。この感圧接着層７０は、圧力を加えることによってはじめて接着可能となる感圧接着剤組成物からなる層で、筆記性を有するものであればいかなるものでも構わず、公知の感圧接着剤を適用することができる。例えば、剥離調整機能及び筆記性を付与する成分として感圧接着剤基剤に対し非親和性の微粒状充てん剤が含有され、これにより層表面が凹凸状に形成され、この凹凸状の層表面が情報担持面としてなるもの等が考えられる。この接着剤基剤については特に制限はなく、天然ゴムや合成ゴム等の従来から通常の感圧接着剤に慣用されているものの中から任意に選択して用いることができるが、特に、天然ゴムにスチレンとメタクリル酸メチルとをグラフト共重合させて得られた天然ゴムラテックスが、耐ブロッキング性、耐熱性、耐摩耗性等の点で好適である。また、感圧接着剤基剤に対し非親和性の微粒状充てん剤とは、使用される感圧接着剤基剤との間で相溶性を示さないものをいう。このような微粒状充てん剤としては、例えば、酸化亜鉛、酸化チタン、炭酸カルシウム、カオリン、活性白土、球状アルミナ、小麦デンプン、シリカ、ガラス粉末、シラスバルーン等が考えられる。これらの材料は、単独で用いてもよいし、２種以上を組み合わせて用いてもよいが、特にシリカと他の充てん剤との組合せが好適である。また、平均粒径の異なる２種以上を組み合わせて用いると感圧接着剤層の表面が凹凸状に形成されやすいので、剥離性能及びプリント性能の向上に有利である。シリカを添加することにより、感圧接着剤の塗膜を強化しうるとともに、シリカは多孔質であるため、感圧接着剤が表面に付着しやすく、貼着力や剥離力を調整しやすい上、シリコーンオイルを用いているプリンタにより、ノンインパクトプリンタ方式で印字した場合でも、シリカがシリコーンオイルを吸収するので、感圧接着剤層がシリコーンオイルにより貼着が妨げられる虞れもない。これらの微粒状充てん剤は、平均粒子径が０．０１〜３０μｍ、好ましくは１〜２０μｍの範囲にあるものが好適である。微粒状充てん剤は、感圧接着剤基剤１００重量部に対し、１００〜４００重量部、好ましくは１３０〜３００重量部、より好ましくは１５０〜２５０重量部の割合で配合するのが好ましい。
【００２８】
本形態における隠蔽はがき１は、はがき本体部１０と保護シート部３０との貼着面のそれぞれに、上述した感圧接着剤組成物の層を積層することにより得られるが、特に感圧接着剤組成物層の表面を約１〜１０ｋｇ／ｃｍ2の圧力で印加し、感圧接着剤組成物層の表面の過度の出張りを押圧して凹凸面を適正に調整し、ブロッキング特性や印字定着適正をより向上させることが好ましい。
【００２９】
このような感圧接着剤組成物からなる感圧接着層７０が、はがき本体部１０及び保護シート部３０のそれぞれの貼着面に積層された状態で、はがき本体部１０と保護シート部３０とが重ね合わされて圧力が加えられることで、これらはがき本体部１０と保護シート部３０とが剥離可能に貼着される。感圧接着層７０は上記のように筆記性を有するものであるため、はがき本体部１０に感圧接着層７０が積層された状態においても、はがき本体部１０の申込情報記入欄１１には申込情報の記入が可能となっている。これにより、感圧接着層７０は、申込情報記入欄１１への申込情報の記入を可能とする構成を具備していることになる。
【００３０】
また、隠蔽部２０と剥離シート部４０とは、隠蔽部２０に積層された粘着層８０と剥離シート４０に積層された剥離層９０とによって剥離可能に貼着されている。
【００３１】
以下に、上記のように構成された隠蔽はがき１の使用方法について説明する。
【００３２】
図２及び図３は、図１に示した隠蔽はがき１の使用方法を説明するための図である。
【００３３】
上記のように構成された隠蔽はがき１においては、まず、プリンタによって、保護シート部３０の往信先情報表示領域３１に、この隠蔽はがき１の往信先の住所や氏名あるいは名称等の往信先情報が印刷される。その際、折り部５０を介して折り畳み可能に連接したはがき本体部１０と隠蔽部２０とのうち、はがき本体部１０には、はがき本体部１０と同一形状を有する保護シート部３０が貼着され、隠蔽部２０には、隠蔽部２０と同一形状を有する剥離シート部４０が貼着されているため、隠蔽はがき１全体の厚さが均一なものとなっており、プリンタ内にて障害が発生することが回避される。
【００３４】
往信先情報表示領域３１に往信先情報が印刷された隠蔽はがき１は、図２（ａ）に示すように、はがき本体部１０と隠蔽部２０が内側となって往信先情報３３が表出するように折り部５０を中心として折り畳まれ、往信先情報３３に従って往信先に送付されていく。
【００３５】
隠蔽はがき１が往信先に届けられると、はがき本体部１０に設けられた申込情報記入欄１１に申込情報を記入するために、図２（ｂ）に示すように保護シート部３０がはがき本体部１０から剥離されていく。はがき本体部１０と保護シート部３０とは、貼着後の剥離が可能な感圧接着層７０によって剥離可能に貼着されているため、これらを剥離することができる。またこの際、剥離シート部４０に印刷された通知情報４１が表出しているため、この通知情報４１が隠蔽はがき１の往信先に伝達される。
【００３６】
保護シート部３０がはがき本体部１０から完全に剥離されると、図２（ｃ）に示すように、はがき本体部１０の保護シート部３０との貼着面に設けられた申込情報記入欄１１が表出する。
【００３７】
また、はがき本体部１０から剥離された保護シート部３０のはがき本体部１０との貼着面には通知情報３２が印刷されているため、はがき本体部１０から保護シート部３０が剥離されると、図２（ｄ）に示すように、この通知情報３２が視認可能となって隠蔽はがき１の往信先に伝達されることになる。このように、通知情報３２は、はがき本体部１０から保護シート部３０が剥離されることによって初めて視認可能となるため、通知情報３２を隠蔽した状態で隠蔽はがき１を往信先に送付することができる。
【００３８】
そして、図３（ａ）に示すように、表出した申込情報記入欄１１に申込情報１２が記入されることになるが、はがき本体部１０の申込情報記入欄１１が設けられた面に積層された感圧接着層７０が筆記性を有するものであるため、申込情報記入欄１１に申込情報１２を記入することができる。
【００３９】
申込情報記入欄１１に申込情報１２が記入された隠蔽はがき１は、隠蔽はがき１の返信先に送付されることになる。そこでまず、図３（ｂ）に示すように、隠蔽部２０から剥離シート部４０が剥離されていく。隠蔽部２０の剥離シート部４０との貼着面には、貼着後の剥離が可能な粘着層８０が積層されており、隠蔽部２０と剥離シート部４０とはこの粘着層８０によって剥離可能に貼着されており、さらに、剥離シート部４０の隠蔽部２０との貼着面には剥離層９０が積層されているため、隠蔽部２０と剥離シート部４０とを容易に剥離することができる。
【００４０】
剥離シート部４０が隠蔽部２０から完全に剥離されると、図３（ｃ）に示すように、隠蔽部２０の剥離シート部４０との貼着面に積層された粘着層８０が表出する。
【００４１】
また、隠蔽部２０から剥離された剥離シート部４０の隠蔽部２０との貼着面には通知情報４２が印刷されているため、隠蔽部２０から剥離シート部４０が剥離されると、図３（ｄ）に示すように、この通知情報４２が視認可能となって隠蔽はがき１の往信先に伝達されることになる。このように、通知情報４２は、隠蔽部２０から剥離シート部４０が剥離されることによって初めて視認可能となるため、通知情報４２を隠蔽した状態で隠蔽はがき１を往信先に送付することができる。
【００４２】
その後、図３（ｅ）に示すように、申込情報記入欄１１が設けられた面が内側となるようにはがき本体部１０と隠蔽部２０とが折り部５０を中心として折り畳まれる。すると、隠蔽部２０の折り畳み状態内側となる面には、剥離後に再び貼着することが可能な粘着層８０が積層されているため、この粘着層８０によってはがき本体部１０と隠蔽部２０とが貼着されることになる。
【００４３】
はがき本体部１０と隠蔽部２０とが貼着された隠蔽はがき１は図３（ｆ）に示すように、申込情報記入欄１１に記入された申込情報１２が隠蔽部２０によって隠蔽された状態となるとともに、隠蔽部２０に印刷された返信先情報２１が表出し、この返信先情報２１に従って、隠蔽はがき１の返信先に送付されることになる。この際、申込情報記入欄１１がはがき本体部１０に設けられているので、上述したようにはがき本体部１０や隠蔽部２０から保護シート部３０や剥離シート部４０を剥離しても、申込情報記入欄１１に記入された申込情報１２が隠蔽はがき１の返信先に伝達されなくなってしまうことがない。
【００４４】
その後、隠蔽はがき１の返信先において、隠蔽部２０がはがき本体部１０から剥離されることによって隠蔽はがき１が開封されると、申込情報記入欄１１に記入された申込情報１２が視認可能となり、隠蔽はがき１の返信先に伝達されることになる。はがき本体部１０と隠蔽部２０とは、貼着後の剥離が可能な粘着層８０によって剥離可能に貼着されているため、はがき本体部１０から隠蔽部２０を剥離することができる。
【００４５】
このように本形態においては、隠蔽はがき１の返信先に伝達する申込情報を記入するための申込情報記入欄１１がはがき本体部１０に設けられるとともに、隠蔽はがき１の返信先の住所や氏名あるいは名称等からなる返信先情報２１が、はがき本体部１０に折り部５０を介して連接した隠蔽部２０に表示されているため、はがき本体部１０及び隠蔽部２０のそれぞれに剥離可能に貼着された保護シート部３０及び剥離シート部４０のはがき本体部１０及び隠蔽部２０との貼着面にも通知情報３２，４２をそれぞれ印刷しておくことにより、隠蔽はがき１の往信先に多くの情報を伝達することができる。
【００４６】
（第２の実施の形態）
図４は、本発明の隠蔽シートの第２の実施の形態を示す図であり、（ａ）は表面図、（ｂ）は（ａ）に示したＡ−Ａ’断面図、（ｃ）は裏面図、（ｄ）は保護シート部１３０及び剥離シート部１４０のはがき本体部１１０及び隠蔽部１２０との貼着面の構成を示す図、（ｅ）ははがき本体部１１０及び隠蔽部１２０の保護シート部１３０及び剥離シート部１４０との貼着面の構成を示す図である。
【００４７】
本形態は図４に示すように、図１に示したものに対して、はがき本体部１１０の保護シート１３０との貼着面とは反対側の面に返信先情報１１２が表示されているとともに、保護シート部１３０のはがき本体部１１０との貼着面とは反対側の面に通知情報１３１が印刷されており、さらに、剥離シート部１４０の隠蔽部１２０との貼着面とは反対側の面に往信先情報表示領域１４１が設けられている点が異なるものである。
【００４８】
上記のように構成された隠蔽はがき１０１においても、図１に示したものと同様に使用される。
【００４９】
まず、プリンタによって、剥離シート部１４０の往信先情報表示領域１４１に、この隠蔽はがき１０１の往信先の住所や氏名あるいは名称等の往信先情報が印刷される。その際、折り部１５０を介して折り畳み可能に連接したはがき本体部１１０と隠蔽部１２０とのうち、はがき本体部１１０には、はがき本体部１１０と同一形状を有する保護シート部１３０が貼着され、隠蔽部１２０には、隠蔽部１２０と同一形状を有する剥離シート部１４０が貼着されているため、隠蔽はがき１０１全体の厚さが均一なものとなっており、プリンタ内にて障害が発生することが回避される。
【００５０】
往信先情報表示領域１４１に往信先情報が印刷された隠蔽はがき１０１は、はがき本体部１１０と隠蔽部１２０が内側となって、往信先情報表示領域１４１に印刷された往信先情報が表出するように折り部１５０を中心として折り畳まれ、往信先情報に従って往信先に送付されていく。
【００５１】
隠蔽はがき１０１が往信先に届けられると、はがき本体部１１０に設けられた申込情報記入欄１１１に申込情報を記入するために、保護シート部１３０がはがき本体部１１０から剥離されていく。はがき本体部１１０と保護シート部１３０とは、貼着後の剥離が可能な感圧接着層１７０によって剥離可能に貼着されているため、これらを剥離することができる。またこの際、保護シート部１３０に印刷された通知情報１３１が表出しているため、この通知情報１３１が隠蔽はがき１０１の往信先に伝達される。
【００５２】
保護シート部１３０がはがき本体部１１０から完全に剥離されると、はがき本体部１１０の保護シート部１３０との貼着面に設けられた申込情報記入欄１１１が表出する。
【００５３】
また、はがき本体部１１０から剥離された保護シート部１３０のはがき本体部１１０との貼着面には通知情報１３２が印刷されているため、はがき本体部１１０から保護シート部１３０が剥離されると、この通知情報１３２が視認可能となって隠蔽はがき１０１の往信先に伝達されることになる。このように、通知情報１３２は、はがき本体部１１０から保護シート部１３０が剥離されることによって初めて視認可能となるため、通知情報１３２を隠蔽した状態で隠蔽はがき１０１を往信先に送付することができる。
【００５４】
そして、表出した申込情報記入欄１１１に申込情報が記入されることになるが、はがき本体部１１０の申込情報記入欄１１１が設けられた面に積層された感圧接着層１７０が筆記性を有するものであるため、申込情報記入欄１１１に申込情報を記入することができる。
【００５５】
申込情報記入欄１１１に申込情報が記入された隠蔽はがき１０１は、隠蔽はがき１０１の返信先に送付されることになる。そこでまず、隠蔽部１２０から剥離シート部１４０が剥離される。隠蔽部１２０の剥離シート部１４０との貼着面には、貼着後の剥離が可能な粘着層１８０が積層されており、隠蔽部１２０と剥離シート部１４０とはこの粘着層１８０によって剥離可能に貼着されており、さらに、剥離シート部１４０の隠蔽部１２０との貼着面には剥離層１９０が積層されているため、隠蔽部１２０と剥離シート部１４０とを容易に剥離することができる。
【００５６】
剥離シート部１４０が隠蔽部１２０から剥離されると、隠蔽部１２０の剥離シート部１４０との貼着面に積層された粘着層１８０が表出する。
【００５７】
また、隠蔽部１２０から剥離された剥離シート部１４０の隠蔽部１２０との貼着面には通知情報１４２が印刷されているため、隠蔽部１２０から剥離シート部１４０が剥離されると、この通知情報１４２が視認可能となって隠蔽はがき１０１の往信先に伝達されることになる。このように、通知情報１４２は、隠蔽部１２０から剥離シート部１４０が剥離されることによって初めて視認可能となるため、通知情報１４２を隠蔽した状態で隠蔽はがき１０１を往信先に送付することができる。
【００５８】
その後、申込情報記入欄１１１が設けられた面が内側となるようにはがき本体部１１０と隠蔽部１２０とが折り部１５０を中心として折り畳まれる。すると、隠蔽部１２０の折り畳み状態内側となる面には、剥離後に再び貼着することが可能な粘着層１８０が積層されているため、この粘着層１８０によってはがき本体部１１０と隠蔽部１２０とが貼着されることになる。
【００５９】
はがき本体部１１０と隠蔽部１２０とが貼着された隠蔽はがき１０１は、申込情報記入欄１１１に記入された申込情報が隠蔽部１２０によって隠蔽された状態となるとともに、隠蔽部１２０に印刷された返信先情報１２１が表出し、この返信先情報１２１に従って、隠蔽はがき１０１の返信先に送付されることになる。この際、申込情報記入欄１１１がはがき本体部１１０に設けられているので、上述したようにはがき本体部１１０や隠蔽部１２０から保護シート部１３０や剥離シート部１４０を剥離しても、申込情報記入欄１１１に記入された申込情報が隠蔽はがき１０１の返信先に伝達されなくなってしまうことがない。
【００６０】
その後、隠蔽はがき１０１の返信先において、隠蔽部１２０がはがき本体部１１０から剥離されることによって隠蔽はがき１０１が開封されると、申込情報記入欄１１１に記入された申込情報が視認可能となり、隠蔽はがき１０１の返信先に伝達されることになる。はがき本体部１１０と隠蔽部１２０とは、貼着後の剥離が可能な粘着層１８０によって剥離可能に貼着されているため、はがき本体部１１０から隠蔽部１２０を剥離することができる。
【００６１】
このように本形態においても、隠蔽はがき１０１の返信先に伝達する申込情報を記入するための申込情報記入欄１１１がはがき本体部１１０に設けられるとともに、隠蔽はがき１０１の返信先の住所や氏名あるいは名称等からなる返信先情報１２１が、はがき本体部１１０に表示されているため、はがき本体部１１０及び隠蔽部１２０のそれぞれに剥離可能に貼着された保護シート部１３０及び剥離シート部１４０のはがき本体部１１０及び隠蔽部１２０との貼着面にも通知情報１３２，１４２をそれぞれ印刷しておくことにより、隠蔽はがき１０１の往信先に多くの情報を伝達することができる。
【００６２】
（第３の実施の形態）
図５は、本発明の隠蔽シートの第３の実施の形態を示す図であり、（ａ）は表面図、（ｂ）は（ａ）に示したＡ−Ａ’断面図である。
【００６３】
本形態は図５に示すように、図１に示したものに対して、はがき本体部２１０が折り部２５０とは反対側の辺にて折り部２５１を介して保護シート部２３０と連接している点が異なるものである。
【００６４】
上記のように構成された隠蔽はがき２０１においても、図１に示したものと同様にして使用される。ただし、本形態の隠蔽はがき２０１は、はがき本体部２１０と保護シート部２３０とが折り部２５１を介して連接しているため、申込情報記入欄に申込情報を記入するためにはがき本体部２１０から保護シート２３０を剥離した際に、はがき本体部２１０と保護シート部２３０とを折り部２５１にて切り離すことになる。
【００６５】
（第４の実施の形態）
図６は、本発明の隠蔽シートの第４の実施の形態を示す図であり、（ａ）は表面図、（ｂ）は（ａ）に示したＡ−Ａ’断面図である。
【００６６】
本形態は図６に示すように、図４に示したものに対して、隠蔽部３２０が折り部３５０とは反対側の辺にて折り部３５１を介して剥離シート部３４０と連接している点が異なるものである。
【００６７】
上記のように構成された隠蔽はがき３０１においても、図４に示したものと同様にして使用される。ただし、本形態の隠蔽はがき３０１は、隠蔽部３２０と剥離シート部３４０とが折り部３５１を介して連接しているため、申込情報記入欄に申込情報を記入した後、はがき本体部３１０と隠蔽部３２０とを貼着するために隠蔽部３２０から剥離シート３４０を剥離した際に、隠蔽部３２０と剥離シート部３４０とを折り部３５１にて切り離すことになる。
【００６８】
（第５の実施の形態）
図７は、本発明の隠蔽シートの第５の実施の形態を示す図であり、（ａ）は表面図、（ｂ）は（ａ）に示したＡ−Ａ’断面図、（ｃ）は裏面図、（ｄ）は保護シート部４３０及び剥離シート部４４０のはがき本体部４１０及び隠蔽部４２０との貼着面の構成を示す図、（ｅ）ははがき本体部４１０及び隠蔽部４２０の保護シート部４３０及び剥離シート部４４０との貼着面の構成を示す図である。
【００６９】
本形態は図７に示すように、図１に示したものに対して、はがき本体部４１０の折り部４５０とは反対側の辺に沿って切り離し線となるミシン線４１３が形成され、それにより、はがき本体部４１０から切り離し可能に構成された切り離し部４１４が設けられているとともに、隠蔽部４２０の剥離シート部４４０との貼着面のうち、はがき本体部４１０と隠蔽部４２０とが上述したように折り部４５０を中心として折り畳まれた場合に切り離し部４１４に対向する領域には、粘着層４８０の代わりに、貼着後の剥離が困難な第３の貼着層となる強粘着層４６０が積層されている点が異なるものである。
【００７０】
上記のように構成された隠蔽はがき４０１においても、図１に示したものと同様に使用されることになるが、隠蔽はがき４０１が返信先に届けられるまでは使用方法が全く同じであるため、説明は省略する。なお、本形態においては、隠蔽部４２０の剥離シート部４４０との貼着面の一部に、貼着後の剥離が困難な強粘着層４６０が積層されているが、剥離シート部４４０の隠蔽部４２０との貼着面の全面に剥離層４９０が積層されているため、隠蔽部４２０から剥離シート部４４０を剥離することができる。
【００７１】
図８は、図７に示した隠蔽はがき４０１を返信先での開封方法を説明するための図である。
【００７２】
図８（ａ）に示すようにはがき本体部４１０と隠蔽部４２０とが貼着された状態で返信先情報４２１に従って隠蔽はがき４０１が返信先に送付されると、上述した実施の形態に示したものと同様に、申込情報記入欄４１１に記入された申込情報を視認するためにはがき本体部４１０と隠蔽部４２０とを剥離する必要がある。
【００７３】
上述した実施の形態に示したものにおいては、はがき本体部と隠蔽部とが、その全面にて貼着後の剥離が可能な粘着層によって貼着されているため、これらはがき本体部と隠蔽部とを剥離することができる。ところが、本形態の隠蔽はがき４０１においては、隠蔽部４２０の剥離シート部４４０との貼着面の一部に、貼着後の剥離が困難な強粘着層４６０が積層されているため、はがき本体部４１０と隠蔽部４２０とが、強粘着層４６０及び粘着層４８０が積層された面が内側となるように折り部４５０を中心として折り畳まれて互いに貼着された状態では、強粘着層４６０が積層された領域、すなわち、はがき本体部４１０のうち切り離し部４１４が隠蔽部４２０から剥離困難な状態となっている。なお、貼着後の剥離困難とは、はがき本体部４１０と隠蔽部４２０とを人間の手によって剥離した場合に、はがき本体部４１０や隠蔽部４２０が裂かれたり厚み方向に分割されたりする程度に強接着されていることである。
【００７４】
そこで、図８（ｂ）に示すように、はがき本体部４１０に形成されたミシン線４１３が破断されることによって、切り離し部４１４がはがき本体部４１０から切り離され、切り離し部４１４のみが隠蔽部４２０に貼着されたままの状態で、はがき本体部４１０の他の領域が隠蔽部４２０から剥離されていく。
【００７５】
そして、ミシン線４１３が完全に破断されることによってはがき本体部４１０と隠蔽部４２０とが剥離して隠蔽はがき４０１が開封されると、図８（ｃ）に示すように、はがき本体部４１０に設けられた申込情報記入欄４１１に記入された申込情報４１２が視認可能となる。
【００７６】
このように本形態においては、はがき本体部４１０と隠蔽部４２０の一部が、貼着後の剥離が困難な強粘着層４６０によって剥離困難に貼着されているため、隠蔽はがき４０１を開封する場合に、はがき本体部４１０に形成されたミシン線４１３を破断してはがき本体部４１０から切り離し部４１４を切り離さなければならないこととなり、それにより、隠蔽はがき４０１が開封されて申込情報記入欄４１１に記入された申込情報が視認された場合にその痕跡を残すことができる。
【００７７】
なお、例えば、図７に示した隠蔽はがき４０１において、はがき本体部４１０、隠蔽部４２０、保護シート部４３０及び剥離シート部４４０のそれぞれが、はがき本体部４１０と隠蔽部４２０との連接方向に直交する方向に延設した隠蔽シートとした構成としてもよい。その場合、はがき本体部４１０、隠蔽部４２０、保護シート部４３０及び剥離シート部４４０の延設部分を切り離し可能に構成し、隠蔽はがき４０１として使用する際に延設部分を切り離すものとしてもよい。
【００７８】
また、上述した実施の形態においては、はがき本体部と保護シート部とが、筆記性を具備する感圧接着層によって剥離可能に貼着されることにより、はがき本体部と保護シート部とがその全面にて剥離可能に貼着されたものであっても、はがき本体部と保護シート部とが剥離された後に申込情報記入欄に申込情報が記入可能となっているが、例えば、はがき本体部と隠蔽部とが、申込情報記入欄に重ならない周囲にて剥離可能に貼着された構成とすれば、はがき本体部と保護シート部とが、筆記性を具備する接着層によって貼着されている必要はない。このように構成することも、はがき本体部と保護シート部とを剥離可能に貼着する貼着層が、申込情報記入欄への申込情報の記入を可能とする構成を具備するものと定義する。
【００７９】
また、上述した実施の形態においては、本発明の隠蔽シートとして、往復はがきタイプの隠蔽はがきを例に挙げて説明したが、例えば、店舗等に置かれることによって隠蔽シートの提供先に提供され、その後、申込情報記入欄に申込情報が記入された隠蔽シートが、返信先情報に従って上記同様にして送付先に送付されるものであってもよい。その場合、保護シート部や剥離シート部に、隠蔽はがきの往信先の住所や氏名あるいは名称等の往信先情報を印刷するための往信先情報表示領域を設ける必要はない。
【符号の説明】
【００８０】
１，１０１，２０１，３０１，４０１    隠蔽はがき
１０，１１０，２１０，３１０，４１０    はがき本体部
１１，１１１，４１１    申込情報記入欄
１２    申込情報
２０，１２０，２２０，３２０，４２０    隠蔽部
２１，１１２，４２１    返信先情報
３０，１３０，２３０，３３０，４３０    保護シート部
３１，１４１，２３１，３４１，４３１    往信先情報表示領域
３２，４１，４２，１３１，１３２，１４２，２４１，３３１，４３２，４４１，４４２    通知情報
３３    往信先情報
４０，１４０，２４０，３４０，４４０    剥離シート部
５０，１５０，２５０，２５１，３５０，３５１，４５０    折り部
７０，１７０，２７０，３７０，４７０    感圧接着層
８０，１８０，２８０，３８０，４８０    粘着層
９０，１９０，２９０，３９０，４９０    剥離層
４１３    ミシン線
４１４    切り離し部
４６０    強粘着層
【図１】
2015116764.tif 000003
【図２】
2015116764.tif 000004
【図３】
2015116764.tif 000005
【図４】
2015116764.tif 000006
【図５】
2015116764.tif 000007
【図６】
2015116764.tif 000008
【図７】
2015116764.tif 000009
【図８】
2015116764.tif 000010